(57)【要約】【課題】不快なグレアの抑制を図る。【解決手段】本実施形態の照明器具Ａは、遮光部５の周壁51の内側に反射部材３を収めるとともに、周壁51と器具本体１との間に、反射部材３に反射した光が通過する隙間を形成している。すなわち、遮光部５内に収納されている反射部材３の反射面31，32が遮光部５の周壁51に隠れているため、従来例のように反射面が外部に露出している場合と比較して、不快なグレアの抑制を図ることができる。【選択図】        図１
2014232711.tif 000002
【特許請求の範囲】
【請求項１】
筒状に形成されて開口端を上にして配置される器具本体と、前記器具本体内に収納されて前記開口端に向けて光を放射するＬＥＤ光源と、前記器具本体外に設けられて前記開口端を通過した前記光を前記開口端から遠離る向きに反射する反射部材と、天板の周縁から周壁が突出した有底筒状に形成され、前記天板を前記器具本体の開口端に対向させ且つ前記周壁の内側に前記反射部材を収めるようにして前記器具本体の上方に配設される遮光部とを備え、前記周壁と前記器具本体との間に、前記反射部材に反射した前記光が通過する隙間を形成したことを特徴とする照明器具。
【請求項２】
前記器具本体は、前記開口端に向かって先細りとなる形状に形成されていることを特徴とする請求項１記載の照明器具。
【請求項３】
前記反射部材で反射された光を拡散するグローブが前記周壁の内側に配設され、前記グローブは、前記開口端から遠離るにつれて拡径する形状に形成されていることを特徴とする請求項２記載の照明器具。
【請求項４】
前記グローブを前記遮光部の前記天板に取り付けるための取付部材を備え、前記取付部材は、前記グローブと対向する部位に反射面が形成されていることを特徴とする請求項３記載の照明器具。
【発明の詳細な説明】
【技術分野】
【０００１】
本発明は、照明器具に関する。
【背景技術】
【０００２】
従来、庭園や遊歩道の照明などには、地面に立設され且つ大人の背丈よりも低いポール(支柱)の先端に取り付けられる照明器具が用いられている。
【０００３】
例えば、特許文献１には、地面に立設されたポール(支柱)内に配設された光源から放射される光を、ポール上端の開口部に配設されている逆円錐台形状の反射板で反射することにより、ポールの周囲を照明するように構成された照明器具(ポール灯)が記載されている。
【先行技術文献】
【特許文献】
【０００４】
【特許文献１】特開２００２−２６０４１０号公報
【発明の概要】
【発明が解決しようとする課題】
【０００５】
しかしながら、特許文献１記載の従来例では、外部に露出している反射板の反射面で不快なグレアが生じてしまうという問題があった。
【０００６】
本発明は、上記課題に鑑みて為されたものであり、不快なグレアの抑制を図ることを目的とする。
【課題を解決するための手段】
【０００７】
本発明の照明器具は、筒状に形成されて開口端を上にして配置される器具本体と、前記器具本体内に収納されて前記開口端に向けて光を放射するＬＥＤ光源と、前記器具本体外に設けられて前記開口端を通過した前記光を前記開口端から遠離る向きに反射する反射部材と、天板の周縁から周壁が突出した有底筒状に形成され、前記天板を前記器具本体の開口端に対向させ且つ前記周壁の内側に前記反射部材を収めるようにして前記器具本体の上方に配設される遮光部とを備え、前記周壁と前記器具本体との間に、前記反射部材に反射した前記光が通過する隙間を形成したことを特徴とする。
【０００８】
この照明器具において、前記器具本体は、前記開口端に向かって先細りとなる形状に形成されていることが好ましい。
【０００９】
この照明器具において、前記反射部材で反射された光を拡散するグローブが前記周壁の内側に配設され、前記グローブは、前記開口端から遠離るにつれて拡径する形状に形成されていることが好ましい。
【００１０】
この照明器具において、前記グローブを前記遮光部の前記天板に取り付けるための取付部材を備え、前記取付部材は、前記グローブと対向する部位に反射面が形成されていることが好ましい。
【発明の効果】
【００１１】
本発明の照明器具は、反射部材の反射面が遮光部の周壁に隠れているため、従来例のように反射面が外部に露出している場合と比較して、不快なグレアの抑制を図ることができるという効果がある。
【図面の簡単な説明】
【００１２】
【図１】本発明に係る照明器具の実施形態を示す断面図である。
【図２】同上の分解斜視図である。
【図３】同上の分解斜視図である。
【図４】同上を示し、(ａ)は平面図、(ｂ)は側面図である。
【図５】同上を示し、(ａ)は上から見た斜視図、(ｂ)は下から見た斜視図である。
【図６】同上の設置状態を示す側面図である。
【図７】同上の一部省略した断面図である。
【発明を実施するための形態】
【００１３】
以下、本発明に係る照明器具の実施形態について、図面を参照して詳細に説明する。
【００１４】
本実施形態の照明器具Ａは、図６に示すように地面Ｇから立設される支柱９に取り付けられる照明器具であって、例えば、庭園や遊歩道の照明などに用いられる。なお、支柱９の高さは特に限定されないが、数十センチメートル〜１メートル程度が好ましい。また、本実施形態の照明器具Ａは、支柱９を介さずに地面や床などに設置されて歩行者の足下を照らす用途に用いられてもよい。
【００１５】
この照明器具Ａは、図１〜図３に示すように器具本体１、ＬＥＤユニット２、反射部材３、グローブ４、遮光部５、点灯装置６などで構成される。
【００１６】
ＬＥＤユニット２は、図１に示すようにＬＥＤ光源20、本体21、蓋22、カバー23、パッキン24などで構成される。ＬＥＤ光源20は、基板に実装される複数個の発光ダイオード(ＬＥＤ)チップと、透光性を有し且つ蛍光材料が混合された合成樹脂(例えば、シリコーン樹脂)製の封止部材とで構成される。すなわち、ＬＥＤチップ(図示せず)から放射される光(例えば、青色光)の一部が蛍光材料で波長変換され、波長変換された光(例えば、黄色光)と波長変換されなかった光(青色光)が混ざることにより、ＬＥＤ光源20から放射される光が全体として白色光となる。
【００１７】
本体21は、アルミダイカストによって扁平な直方体形状に形成され、上面の中央に収納凹所210が設けられている。収納凹所210の底面にＬＥＤ光源20が固定され、ＬＥＤ光源20の発する熱が本体21を通して放熱される。
【００１８】
カバー23は、平板状の固定部230と、固定部230の中央から上向きに膨出したドーム状の配光部231とがポリカーボネートなどの透光性を有する合成樹脂材料で一体に形成されてなる。
【００１９】
蓋22は、４本の固定ねじ25によって本体21の上面にねじ止めされ、本体21との間で固定部230を挟持することによってカバー23を本体21に固定している。蓋22の中央には、カバー23の配光部231が挿通される挿通孔220が貫通している。故に、ＬＥＤ光源20が発する光は、配光部231で配光が制御されて本体21の外に放射される。
【００２０】
パッキン24は、弾性を有する合成樹脂材料(例えば、シリコーンゴムなど)によって環状に形成されている。そして、本体21上面の収納凹所210の周囲に形成されている溝211にパッキン24が収納され、カバー23の固定部230に押圧されてパッキン24が弾性変形することにより、収納凹所210への水(雨水など)の浸入が阻止されている。
【００２１】
器具本体１は、下面が開口した有底円筒形の台部10と、台部10の上面より上向きに突出した本体部11とがアルミダイカストによって一体に形成されている。本体部11は、上に向かって先細りとなった円錐台形状に形成されている。また、本体部11は、天板110に円形の窓孔12が開口している。さらに、本体部11は、外周面が階段状に形成されている。なお、本体部11の内部は空洞であり、台部10の内部空間と繋がっている(図１参照)。
【００２２】
また、器具本体１は、下面にねじ孔が開口した円柱状の複数のボス13が天板110の内底面から下向きに突設されている(図２参照)。そして、ＬＥＤユニット２は、金属製の保持金具26に保持され、その保持金具26が各ボス13のねじ孔にねじ込まれる取付ねじ(図示せず)でねじ止めされることによって器具本体１内に取り付けられる(図１参照)。
【００２３】
反射部材３は、上面が開口した円錐台形状の合成樹脂成形体からなり、その表面にアルミ蒸着による反射面が形成されている。ただし、反射部材３の反射面(周面)は、底面(下面)30に繋がる第１反射面31と、第１反射面30の外側にあって第１反射面30よりも傾斜が緩やかである第２反射面32とを有している(図１及び図３参照)。また、反射部材３は、第１反射面31と第２反射面32との境界部分に、３つの凹所33が周方向に等間隔に並べて設けられている。なお、各凹所33の底面には、円形のねじ挿通孔34が貫通している(図３参照)。
【００２４】
グローブ４は、ガラス又は透光性を有する合成樹脂材料(ポリカーボネートなど)により、底板40、配光部41、連結部42、外鍔43が一体に形成されてなる。底板40は円板状に形成され、中央に円形の入射口400が開口し、且つ入射口400の周囲に３つのねじ挿通孔401が開口している。配光部41は、上下両端が開口した円錐台形状に形成され、円環状の連結部42によって底板40上面の周縁に連結されている。外鍔43は、配光部41の上端縁より全周に亘って外向きに突出しており、矩形の切欠430が周方向に沿って等間隔に３つ設けられている。
【００２５】
遮光部５は、円形の天板50と、天板50の周縁から下向きに突出する円筒形状の周壁51とがアルミダイカストによって一体に形成されてなる。天板50の下面中央には、３つの第１ボス52が同心円上且つ等間隔に並べて突設されている。第１ボス52は円柱形状であって、下面に開口するねじ孔520を備えている。また、天板50の下面には、円筒形状の第１突壁54が第１ボス52を囲むように突設されている。さらに、天板50の下面には、第１突壁54よりも高さ寸法の大きい円筒形状の第２突壁55が、第１突壁54を囲むように突設されている。またさらに、天板50の下面における第１突壁54と第２突壁55との間に、３つの第２ボス53が同心円上且つ等間隔に並べて突設されている。第２ボス53は角柱形状であって、下面に開口するねじ孔530を備えている。
【００２６】
反射部材３は、第１突壁54の内側に収められ、ねじ挿通孔34に挿通される取付ねじ35が第１ボス52のねじ孔520にねじ込まれることで天板50に取り付けられる(図１参照)。また、グローブ４は、保持板44によって遮光部５の天板50に保持される。保持板44は、金属板によって円環状に形成され、３つのねじ挿通孔440が等間隔に離して貫通されている。そして、グローブ４は、図１に示すように外鍔43の切欠430に第２ボス53を挿通するようにして第２突壁55の内側に収められる。このとき、外鍔43と第１突壁54との間にパッキン56が挟み込まれる。そして、保持板44が下方から外鍔43に被せられ、各ねじ挿通孔440に挿通される固定ねじ45が第２ボス53のねじ孔530にねじ込まれ、グローブ４の外鍔43が保持板44と第２突壁55との間で挟持されることにより、グローブ４が遮光部５に固定される。なお、保持板44は、白色の塗料で下面が塗装されることで反射率が高くされている。
【００２７】
次に、反射部材３並びにグローブ４が取り付けられた遮光部５を器具本体１に取り付ける構造について説明する。
【００２８】
図１に示すように、グローブ４の底板40の上面側と下面側にそれぞれ金属板からなる取付板80，81が取り付けられる。上面側の取付板(第１取付板)80は、入射口400に対応した円形の貫通孔800が中央に設けられ、貫通孔800の周囲に複数のねじ孔801が設けられている。下面側の取付板(第２取付板)81は、入射口400に対応した円形の貫通孔810が中央に設けられ、貫通孔810の周囲に複数のねじ挿通孔811が設けられている。そして、第２取付板81は、ねじ挿通孔811に挿通されるねじ82が器具本体１の天板110に設けられているねじ孔111にねじ込まれることによって天板110の下面側に取り付けられる。また、第１取付板80は、第２取付板81に設けられたねじ挿通孔813とグローブ４の底板40に設けられているねじ挿通孔401に挿通されたねじ83がねじ孔801にねじ込まれることで底板40の上面側に固定される。
【００２９】
つまり、器具本体１に固定される第２取付板81と、グローブ４の底板40に固定される第１取付板80との間で底板40を挟持することにより、遮光部５が器具本体１に取り付けられている。なお、器具本体１の窓孔12の内周面とグローブ４の連結部42と間に防水用のパッキン46が挟み込まれており、このパッキン46によって器具本体１内及びグローブ４内への水(雨水)の浸入が阻止される。
【００３０】
点灯装置６は、支柱９内に立ち上げ配線される電源線90から供給される交流電力を直流電力に変換する電力変換回路などが金属製のケース60に収納されて構成される(図１参照)。ただし、ケース60は金属製に限らず、合成樹脂製のものであっても構わない。また、点灯装置６は、電線61によってＬＥＤユニット２のＬＥＤ光源20と接続されており、電線61を介してＬＥＤ光源20に直流電力を供給して点灯する。なお、点灯装置６は、図１に示すように保持金具26に固定された金属製の支持金具62に支持されて器具本体１内に収納される。
【００３１】
ここで、本実施形態の照明器具Ａは、図１及び図７に示すように遮光部５の周壁51の内側に反射部材３を収めるとともに、周壁51と器具本体１との間に、反射部材３に反射した光(図７における実線の矢印参照)が通過する隙間を形成している。すなわち、遮光部５内に収納されている反射部材３の反射面31，32が遮光部５の周壁51に隠れているため、従来例のように反射面が外部に露出している場合と比較して、不快なグレアの抑制を図ることができる。故に、本実施形態の照明器具Ａでは、隙間を通過する光の広がりを確保しつつグレアを抑制することができる。
【００３２】
また、本実施形態の照明器具Ａは、器具本体１が開口端(上端)に向かって先細りとなる形状に形成されている。このため、器具本体１と周壁51との間に隙間を形成しながらも、遮光部５の外径(周壁51の外径)を器具本体１の台部10の外径とほぼ同寸法とし、照明器具Ａの小型化を図ることができる。
【００３３】
また、本実施形態の照明器具Ａは、反射部材３で反射された光を拡散するグローブ４が周壁51の内側に配設されているので、グローブ４が無い場合と比較して光の均斉度を向上することができる。なお、グローブ４が器具本体１の開口端(上端)から遠離るにつれて拡径する形状に形成されているため、光が通過する領域の面積を増やしつつ高さ方向の小型化を図ることができる。
【００３４】
さらに、本実施形態の照明器具Ａでは、グローブ４を遮光部５の天板50に取り付けるための取付部材(保持板44)において、グローブ４と対向する部位(下面)に反射面(白色の塗装面)が形成されている。このため、グローブ４を通過した光の一部が保持板44の下面に反射し、器具本体１と周壁51の隙間を通して放射されることになり、光の利用効率を高めることができる。
【００３５】
なお、器具本体１の本体部11の外周面が階段状に形成されているため、器具本体１と周壁51との間の隙間を通過して外周面で反射する光が前記外周面で拡散されることになる。その結果、本体部11の外周面を平滑面とした場合に比べて、外周面の輝度を低減することができる。
【符号の説明】
【００３６】
Ａ  照明器具
１  器具本体
２  ＬＥＤユニット
３  反射部材
５  遮光部
９  支柱
12  窓孔
20  ＬＥＤ光源
50  天板
51  周壁
【図１】
2014232711.tif 000003
【図２】
2014232711.tif 000004
【図３】
2014232711.tif 000005
【図４】
2014232711.tif 000006
【図５】
2014232711.tif 000007
【図６】
2014232711.tif 000008
【図７】
2014232711.tif 000009